(57)【特許請求の範囲】
【請求項１】
施工面と前記施工面に対向する組み合わせ面とを有する定規と、
前記定規の前記組み合わせ面と接触する内側平面と外側平面とを有する基部と、前記基部に設けられる少なくとも１つの気泡管とを有する水準器と、
前記定規及び前記水準器を組み合わせる固定ネジと、を含み、
前記基部には、前記内側平面及び前記外側平面を貫通する第１の固定孔が設けられており、
前記定規の前記組み合わせ面には、前記第１の固定孔に対応する第２の固定孔が設けられており、
前記固定ネジは、前記第１の固定孔に挿入されると共に、前記第２の固定孔に螺合接続され、
前記施工面と前記組み合わせ面との間には２つの側壁が接続されており、前記施工面、前記組み合わせ面及び前記２つの側壁によって内部空間が包囲形成され、
前記内部空間は、前記定規の長手方向に沿って前記定規の両端まで延在され、前記内部空間には、両端がそれぞれ前記施工面の内側及び前記組み合わせ面の内側に接続されるリブ部が設けられ、
前記第２の固定孔は、前記定規の前記組み合わせ面における前記リブ部に対応する位置に設けられると共に、前記リブ部まで延在されることを特徴とする定規と水準器との組み合わせ構造。
【請求項２】
前記固定ネジは、２つ以上設けられていることを特徴とする請求項１に記載の定規と水準器との組み合わせ構造。
【請求項３】
前記固定ネジには、前記水準器内に位置し、前記水準器の内壁に当接して前記固定ネジを位置決める位置決め部材が設けられていることを特徴とする請求項１に記載の定規と水準器との組み合わせ構造。
【請求項４】
前記水準器は、前記定規の一端又は中間に設けられ、
前記定規の他端には、掛孔が設けられていることを特徴とする請求項１に記載の定規と水準器との組み合わせ構造。
【請求項５】
前記気泡管は、前記基部に固定されると共に前記外側平面に露出し、それぞれ水平方向及び垂直方向に２つ設けられていることを特徴とする請求項１に記載の定規と水準器との組み合わせ構造。
【請求項６】
前記気泡管は、前記基部に固定されると共に前記外側平面に露出し、それぞれ水平方向、垂直方向及び４５度の角度を為す方向に３つ設けられていることを特徴とする請求項１に記載の定規と水準器との組み合わせ構造。
【請求項７】
前記定規の前記組み合わせ面の縁部近傍には、目盛りが設けられていることを特徴とする請求項１に記載の定規と水準器との組み合わせ構造。
【請求項８】
施工面と、前記施工面に対向すると共に、水準器と組み合わせるための固定孔が設けられている組み合わせ面と、を含み、
前記施工面と前記組み合わせ面との間には２つの側壁が接続されており、前記施工面、前記組み合わせ面及び前記２つの側壁によって内部空間が包囲形成され、
前記内部空間は、前記定規の長手方向に沿って前記定規の両端まで延在され、前記内部空間には、両端がそれぞれ前記施工面の内側及び前記組み合わせ面の内側に接続されるリブ部が設けられ、
前記固定孔は、前記定規の前記組み合わせ面における前記リブ部に対応する位置に設けられると共に、前記リブ部まで延在されることを特徴とする定規。
【請求項９】
一端に掛孔が設けられていることを特徴とする請求項８に記載の定規。
【発明の詳細な説明】
【技術分野】
【０００１】
本発明は、定規と水準器との組み合わせ構造に関し、特にモルタル（セメント）仕上げの作業を行うとき、壁面の垂直状態又は水平状態を同時測定することができる、定規と水準器との組み合わせ構造に関する。
【背景技術】
【０００２】
従来のレンガ壁（又はＲＣ・モルタル壁）が、材料が安価で、防音効果に優れ、支持力及び荷重力が強く、耐湿性に優れ、耐火性に優れるという利点を有しているため、建築物の外壁、間仕切り壁又は塀等としてよく利用されている。レンガ壁は、人工的に製造したレンガをセメントモルタルで結合・積層させて得たものである。レンガを壁状に積層させた後、通常モルタルの仕上げ作業を行う。
【０００３】
従来のモルタルの仕上げ作業において、一般的にレーザー水準器、又は下げ振り及びナイロン糸又は常用の水準器で予め垂直又は水平の基準線を形成した後、墨出しで垂直又は水平の基準線をかく。次に、定規及びこて（鏝）によりこの基準線に基づいて仕上げ作業を行う。モルタル仕上げが完了すると、レンガ壁を乾燥させる。次に、更に実際の状況に応じて異なるサイズの水準器を用いてレンガ壁に対して測定を行い、レンガ壁が垂直又は水平状態になっていない箇所について修正作業を行う。
【０００４】
しかしながら、上述した従来のモルタル壁の仕上げ方法は、煩雑で、手間がかかる。すなわち、モルタル仕上げが完了した後、二回目の測定をすることは、作業者にとって二度の手間がかかり、面倒な作業であり、かつ測定の正確にも影響を与えるおそれがある。そのため、多くの施工業者が、施工時に修正工程を省略してしまうことが多いが、それによって後続の施工に影響を与えるおそれがある。
【０００５】
そこで、上述した欠点が改善可能であることに鑑みて、鋭意研究を行い学理を併せて運用した結果、上述した欠点を合理的且つ効果的に改善する方法として本発明の完成を見るに至った。
【発明の概要】
【発明が解決しようとする課題】
【０００６】
本発明は、煩雑で、手間がかかる工程を改善することにより施工効率を向上させ、かつモルタルの仕上げ作業を行うとき、壁面の垂直状態又は水平状態同時測定することができる、定規と水準器との組み合わせ構造を提供することを課題とする。
【課題を解決するための手段】
【０００７】
上述した課題を解決するため、本発明は、以下の定規と水準器との組み合わせ構造を提供する。本発明の定規と水準器との組み合わせ構造は、施工面と当該施工面に対向する組み合わせ面とを有する定規と、当該定規の組み合わせ面に接触する内側平面及び外側平面とを有する基部と、当該基部に設けられる少なくとも１つの気泡管とを有する水準器と、定規と水準器を組み立てる固定ネジと、を含む。
【０００８】
好ましくは、固定ネジが２つ以上設けられる。基部には、内側平面及び外側平面を貫通する第１の固定孔が設けられている。定規の組み合わせ面には、第１の固定孔に対応する第２の固定孔が設けられている。固定ネジは、第１の固定孔に挿入されるとともに、第２の固定孔に螺合される。施工面と組み合わせ面との間には２つの側壁が接続されており、施工面、組み合わせ面及び２つの側壁によって内部空間が形成される。内部空間は、定規の長手方向に沿って定規の両端まで延伸される。定規の内部空間には、少なくとも１つのリブ部が設けられている。リブ部の両端はそれぞれ、施工面の内側及び組み合わせ面の内側に接続される。
【０００９】
本発明は、施工面と、当該施工面に対向しかつ水準器との組み立てに用いられる固定孔が設けられている組み合わせ面と、を含む定規を更に提供する。
【発明の効果】
【００１０】
本発明に係る定規が直方体に形成されることにより、左官が壁面を平坦にするとき、それを基準線として用いることができる。かつ、左官が壁塗りの工程において、こて又は左官ごて等の工具を利用してモルタルをそぎ落とすとき、その定規を基準として用いることができる。
【００１１】
本発明に係る定規と水準器との組み合わせ構造は、使用時に一時的に固定物になり、こて（又は左官ごて）等の工具でモルタルをそぎ落とすとき、それがガイドになるように、一時的に建築物に押さえつける。本発明に係る定規と水準器との組み合わせ構造が使用時に一時的に固定物になるため、水準器によって正確な測定を行うことができる。また、こてと本発明に係る定規と水準器との組み合わせ構造とがそれぞれ独立する物品であるため、こての動作が本発明の定規と水準器との組み合わせ構造には全く影響を及ぼさず、両者の機能をそれぞれ発揮させることができる。すなわち、本発明によれば、こてを素早く操作することができ、こての利便性を大幅に向上させ、施工業者がモルタル仕上げを行うとき、随時測定を行うことができ、施工効率を向上させることができる。
【００１２】
本発明が、固定ネジによって定規及び水準器が組み立てられる構成を有しているので、全体の構造を簡素化することができ、また定規及び水準器の分解を容易に行うことができる。したがって、本発明は、組立と分解が便利であり、コストを低減する効果を奏することができる。
【図面の簡単な説明】
【００１３】
【図１】本発明に係る定規と水準器との組み合わせ構造の第一実施例を示す分解斜視図である。
【図２】本発明に係る定規と水準器との組み合わせ構造の第一実施例を示す斜視図である。
【図３】本発明に係る定規と水準器との組み合わせ構造の第一実施例を示す断面図である。
【図４】本発明に係る定規と水準器との組み合わせ構造の使用状態を示す図である。
【図５】本発明に係る定規と水準器との組み合わせ構造の使用状態を示す図である。
【図６】本発明に係る定規と水準器との組み合わせ構造の第二実施例の使用状態を示す図である。
【図７】本発明に係る定規と水準器との組み合わせ構造の第三実施例の使用状態を示す図である。
【図８】本発明に係る定規と水準器との組み合わせ構造の第四実施例を示す斜視図である。
【図９】本発明に係る定規と水準器との組み合わせ構造の第五実施例を示す斜視図である。
【発明を実施するための形態】
【００１４】
図１乃至図３に示すように、本発明に係る定規と水準器との組み合わせ構造は、定規１、水準器２及び固定ネジ３を含む。
【００１５】
定規１は、直方体に形成され、かつ施工面１１及び施工面１１に対向する組合わせ面１２を有する。施工面１１と組み合わせ面１２との間には、２つの側壁１３が接続されている。好ましくは、定規１において、施工面１１と組み合わせ面１２とが互いに平行になり、２つの側壁１３が互いに平行になり、２つの側壁１３と施工面１１又は組み合わせ面１２とが互いに垂直になるように構成される。組み合わせ面１２は、水準器２と接触するのに用いられ、施工面１１は、外部のモルタル壁（図略）と接触するのに用いられる。
【００１６】
施工面１１、組み合わせ面１２及び２つの側壁１３により、包囲された内部空間１４が形成される。内部空間１４は、定規１の内部に位置し、定規１の長手方向（縦方向）に沿って定規１の両端まで延伸される。すなわち、定規１が中空状に形成されることにより、材料節約及び重量軽減の効果を奏することができる。定規１の内部には、少なくとも１つのリブ部１５が更に設けられている。リブ部１５の両端はそれぞれ、施工面１１の内側及び組み合わせ面１２の内側に接続される。リブ部１５で定規１の構造強度を向上させるため、リブ部１５を定規１の長手方向（縦方向）に沿って定規１の両端まで延伸させた方がよい。定規１の材質は、金属（例えばアルミニウム合金）、プラスチック又は木材等であってもよい。ただし、上述した定規１の材質及び構造は、本発明の好ましい実施例に過ぎず、本発明がそれらにのみ限定されるものではない。定規１は、単独でモルタルをそぎ落とすのに用いられることができ、又はこれを基準にしてこて（図略）でモルタルをそぎ落とすこともできる。定規１が不適切な使用などによって破損されることを防止するため、定規１の一端に定規１を掛けて置くための掛孔１７を更に設けることができる。掛孔１７は、貫通孔又は非貫通孔であってもよい。
【００１７】
水準器２は、基部２１と、基部２１に設けられる少なくとも１つの気泡管２２とを有する。本発明は気泡管２２の形式を限定せず、例えば、気泡が残るように透明の管体内を液体（一般的には着色アルコール）で部分的に満たし、かつ管内の気泡の位置によって管体の水平状態又は垂直状態を判断することができる。基部２１は、平板状に形成される。ただし、基部２１の形状はそれに制限されるものではなく、例えば方形、円形又は他の形状に形成してもよい。本実施例における水準器２の基部２１は略方形に形成され、両側には対称的な斜辺が形成されている。基部２１は、内側平面２１１及び外側平面２１２を有する。内側平面２１１及び外側平面２１２はそれぞれ、基部２１の対向する両面に位置し、かつ両者が平行に構成されている。内側平面２１１は、定規１の組み合わせ面１２との接触に用いられる。内側平面２１１と組み合わせ面１２との間の平行を確保し、測定誤差を低減するため、内側平面２１１を組み合わせ面１２に密着させた方がよい。
【００１８】
気泡管２２は、基部２１に固定され、かつ垂直、水平又は所定の角度を測定する工具として用いる。気泡管２２は、粘着、螺合固定又は係止などのような様々な方法により基部２１に固定されるが、この固定方式がそれらに限定されるものではない。本実施例においては、２つの気泡管２２を設けることができる。この２つの気泡管２２は、基部２１に固定されるとともに外側平面２１２に露出している。２つの気泡管２２はそれぞれ、水平方向及び垂直方向に設けられ、水平方向に設けられる気泡管２２は、２つの側壁１３（定規１の長手方向）に平行に設け、垂直方向に設けられる気泡管２２は、２つの側壁１３（定規１の長手方向）に垂直に設けることができる。本発明における他の２つの実施例においては、４５度方向の気泡管２２を更に設けることができる（図６及び図７参照）。この場合、気泡管２２と２つの側壁１３（定規１の長手方向）とは４５度の角度をなし、水準器２は４５度の角度を測定するのに用いられる。しかしながら、本発明の水準器２の形式及び構造は、それらに限定されるものではなく、任意の形式及び構造を有する水準器２に設けてもよい。本発明の水準器に２つ又は３つの気泡管２２が設けられていることにより、水平状態、垂直状態又は傾斜状態などを同時測定することができる。また、それらの気泡管２２が基部２１に設けられているため、観察することが極めて便利である。
【００１９】
定規１と水準器２は、固定ネジ３によって一体に組み立てられる。本発明は、固定ネジ３の個数を限定しないが、定規１と水準器２を安定に組み立てるため、好ましくは、２つ以上（例えば２つ、３つ又は４つ等）の固定ネジ３を用いる。固定ネジ３を１つしか設けない場合、所定の位置決め手段（図略）を設ける必要がある。例えば、定規１と水準器２との間に回動又は変位が発生することを避けるため、定規１の組み合わせ面１２及び水準器２の内側平面２１１に位置決め用の凹部と凸部をそれぞれ設けることができる。また、例えば、定規１と水準器２との間に回動又は変位が発生することを避けるため、定規１の組み合わせ面１２に水準器２の外形に対応する凹部（例えば凹溝）を設け、かつ水準器２をこの凹部に収容させることにより水準器２の位置を決めることができる。
【００２０】
本実施例には２つの固定ネジ３が設けられており、基部２１にはその２つの固定ネジ３に対応する２つの第１の固定孔２１３が設けられている。第１の固定孔２１３は、内側平面２１１及び外側平面２１２を貫通する。また、定規１の組み合わせ面１２には、２つの第１の固定孔２１３に対応する少なくとも２つの第２の固定孔１６が設けられている。すなわち、定規１の一端又は中間に２つの第２の固定孔１６を設けるか、或いは定規１の一端及び中間に第２の固定孔１６を２つずつ設けることができる。２つの固定ネジ３は、２つの第１の固定孔２１３に挿入されるとともに、対応する２つの第２の固定孔１６に螺合される。これにより、水準器２は、固定ネジ３によって定規１に螺合固定される。本発明において、定規１に固定孔（第２の固定孔１６）が設けられているため、水準器２を定規１に固定させることができる。
【００２１】
水準器２は、定規１の一端、中間又は他の位置に設けることができる。定規１の組み合わせ面１２における所定の位置に、第１の固定孔２１３に対応する第２の固定孔１６が設けられているので、水準器２を固定ネジ３で定規１の所定の位置に固定させることができる。本実施例の水準器２は、定規１の一端又は中間に設けられる。これにより、定規１と水準器２とを一体に組み立てることができ、モルタル仕上げの作業を行うとき測定の作業を同時行うことができる。本発明の水準器２は、異なる長さの定規１に用いることができる。定規１の長さは通常、３０ｃｍを長さの単位とする３０ｃｍ、６０ｃｍ、９０ｃｍ及び１２０ｃｍなどがある。しかしながら、定規１の寸法はそれらに限定されるものではなく、必要に応じて適宜変更することができる。
【００２２】
本実施例において、第２の固定孔１６を定規１の組み合わせ面１２においてリブ部１５に対応する位置に設けることもできる。第２の固定孔１６をリブ部１５まで延伸させることにより、第２の固定孔１６のみならず、定規１全体の強度をより向上させることができる。また、各固定ネジ３に位置決め部材４を更に設けてもよい。位置決め部材４は、Ｃ形係止リングなどのような素子である。位置決め部材４は、固定ネジ３に結合され、かつ水準器２内に位置する。位置決め部材４は、外径が固定ネジ３の外径より大きく、かつ固定ネジ３に結合されて固定ネジ３の位置を決める機能を奏する。固定ネジ３が緩められて所定の高さまで上がるとき、位置決め部材４が水準器２の内側に当接されることにより固定ネジ３の位置を決めることができる。すなわち、位置決め部材４は、固定ネジ３が第１の固定孔２１３から完全に離脱することを防止し、かつ水準器２の内側における第１の固定孔２１３の外縁部に当接されることにより固定ネジ３の位置を決めることができる。したがって、固定ネジ３は、緩められた状態になっても水準器２の位置を決めることができ、かつ第１の固定孔２１３から完全に離脱しないので固定ネジ３を遺失することを避けることができる。また、位置決め部材４は、固定ネジ３と嵌合又は係合可能な他の素子に置き換えてもよい。（径向に）突出する素子が位置決め部材４として固定ネジ３に設けられる場合、固定ネジ３が緩められて所定の高さまで上がっても、位置決め部材４は、固定ネジ３が第１の固定孔２１３から完全に離脱することを防止し、かつ水準器２の内側に当接されることにより固定ネジ３の位置を決めることができる。
【００２３】
図８に示すように、本発明の定規１が物差しの機能を兼備するように、定規１の組み合わせ面１２の縁部近傍に目盛り１８を更に設けることができる。
【００２４】
図９に示すように、本発明の定規１の両端には、定規１の両端を封鎖するためのエンドキャップ５が挿入されている。また、本発明の定規１には、２つの水準器２を設けることができる。２つの水準器２はそれぞれ、定規１の中間及び一端に設けられる。
【００２５】
本発明に係る定規が直方体に形成されることにより、左官が壁面を平坦にするとき、それを基準線として用いることができ、かつ左官が壁塗りの工程において、こて又は左官ごてなどの工具を利用してモルタルをそぎ落とすとき、その定規を基準として用いることができる。
【００２６】
建築業の分野において、水準器は通常、固体の表面を測定するのに用いられ、乾いていないモルタル壁などのような非固体の表面を測定するのには用いることがない。本発明が定規と水準器とを結合させて得たものであるため、施工業者が本発明を利用することにより、モルタル仕上げの作業と測定の作業を共に行うことができる（図４及び図５参照）。また、本発明は、従来の水準器のように、固体の表面を測定することもできる。したがって、本発明は、利便性が極めて高く、施工効率を向上させることができる。
【００２７】
本発明に係る定規と水準器との組み合わせ構造は、使用時に一時的に固定物になる。すなわち、こて（又は左官ごて）などの工具でモルタルをそぎ落とすとき、本発明の定規と水準器との組み合わせ構造がガイドになるように、それを一時的に建築物に押さえつける。本発明に係る定規と水準器との組み合わせ構造が使用時に一時的に固定物になるため、水準器で正確な測定を行うことができる。また、こてと本発明に係る定規と水準器との組み合わせ構造とがそれぞれ独立する物品であるため、こての動作が本発明の定規と水準器との組み合わせ構造には全く影響を及ぼさず、両者の機能をそれぞれ発揮させることができる。すなわち、本発明によれば、こてを素早く操作することができ、こての利便性を大幅に向上させ、施工業者がモルタル仕上げを行うとき、随時測定を行うことができるので、施工効率を向上させることができる。
【００２８】
本発明が、固定ネジによって定規及び水準器が組み立てられた構成を有しているので、全体の構造を簡素化することができ、また定規及び水準器の分解を容易に行うことができる。したがって、本発明は、組立と分解が便利であり、コストを低減する効果を奏することができる。本発明は、浴室、屋上又は広場等の場所の施工及び測定に応用することができ、レーザー装置で達成できない効果を奏することができる。
【００２９】
上述した実施例は本発明の好ましい実施例に過ぎず、本発明の特許請求の範囲を限定するものではない。したがって、本発明の明細書及び図面の内容に基づいた様々な変更があっても、すべてが本発明の範囲に含まれることは勿論である。
【符号の説明】
【００３０】
１    定規
１１  施工面
１２  組み合わせ面
１３  側壁
１４  内部空間
１５  リブ部
１６  第２の固定孔
１７  掛孔
１８  目盛り
２    水準器
２１  基部
２２  気泡管
２１１  内側平面
２１２  外側平面
２１３  第１の固定孔
３    固定ネジ
４    位置決め部材
５    エンドキャップ
【図１】
0005868468.tif 000002
【図２】
0005868468.tif 000003
【図３】
0005868468.tif 000004
【図４】
0005868468.tif 000005
【図５】
0005868468.tif 000006
【図６】
0005868468.tif 000007
【図７】
0005868468.tif 000008
【図８】
0005868468.tif 000009
【図９】
0005868468.tif 000010